(57)【特許請求の範囲】
【請求項１】
第１のワイヤレス通信標準規格の経路、および第２のワイヤレス通信標準規格の経路を備え、前記第１のワイヤレス通信標準規格は、前記第２のワイヤレス通信標準規格とは異なる、マルチモードワイヤレス端末であって、
前記第１のワイヤレス通信標準規格の前記経路は、第１のアンテナモジュール、第１のトランシーバモジュール、および第１のベースバンドモジュールを備え、前記第１のアンテナモジュールは、前記第１のトランシーバモジュールに接続し、前記第１のトランシーバモジュールは、前記第１のベースバンドモジュールに接続し、
前記第２のワイヤレス通信標準規格の前記経路は、第２のアンテナモジュール、第２のトランシーバモジュール、および第２のベースバンドモジュールを備え、前記第２のアンテナモジュールは、前記第２のトランシーバモジュールに接続し、前記第２のトランシーバモジュールは、前記第２のベースバンドモジュールに接続し、
前記第２のトランシーバモジュールは、前記第１のベースバンドモジュールに接続し、
前記第２のトランシーバモジュールは、制御ユニットを備え、前記制御ユニットは、前記第２のアンテナモジュールおよび前記第２のトランシーバモジュールを、前記第２のワイヤレス通信標準規格のアイドルタイムスロットにおいて、前記第１のワイヤレス通信標準規格のダイバーシティ受信経路として働くように制御するように構成され、
前記第２のワイヤレス通信標準規格の前記経路は、第２のフィルタモジュールをさらに備え、
前記第２のフィルタモジュールの通過帯域は、前記第１のワイヤレス通信標準規格の受信周波数帯域内に位置付けられ、かつ前記第２のフィルタモジュールの前記通過帯域は、前記第２のワイヤレス通信標準規格の受信周波数帯域内に位置付けられ、
前記第２のベースバンドモジュールは、前記第２のトランシーバモジュールに、前記第２のフィルタモジュールを通じて接続し、前記第１のベースバンドモジュールは、前記第２のトランシーバモジュールに、前記第２のフィルタモジュールを通じて接続し、
前記第２のワイヤレス通信標準規格は、第１の受信周波数帯域、および第２の受信周波数帯域を備え、前記第２のフィルタモジュールの前記通過帯域は、前記第１のワイヤレス通信標準規格の前記受信周波数帯域内に位置付けられ、かつ前記第２のフィルタモジュールの前記通過帯域は、前記第２のワイヤレス通信標準規格の前記第１の受信周波数帯域内に位置付けられ、
前記第２のワイヤレス通信標準規格の前記経路は、第３のフィルタモジュールをさらに備え、
前記第３のフィルタモジュールの通過帯域は、前記第２のワイヤレス通信標準規格の前記第２の受信周波数帯域内に位置付けられ、前記第３のフィルタモジュールは、前記第２のベースバンドモジュールと前記第２のトランシーバモジュールとの間に位置付けられ、
前記制御ユニットは、前記マルチモードワイヤレス端末が前記第２のワイヤレス通信標準規格の前記第１の受信周波数帯域内で動作するとき、前記第２のトランシーバモジュールを、前記第２のフィルタモジュールに接続するように制御し、前記マルチモードワイヤレス端末が前記第２のワイヤレス通信標準規格の前記第２の受信周波数帯域内で動作するとき、前記第２のトランシーバモジュールを、前記第３のフィルタモジュールに接続するように制御するようにさらに構成され、
前記制御ユニットは、前記マルチモードワイヤレス端末が前記第２のワイヤレス通信標準規格の前記第２の受信周波数帯域内で動作するとき、前記第２のトランシーバモジュールを、前記第２のワイヤレス通信標準規格の前記第１の受信周波数帯域のアイドルタイムスロット、および前記第２のワイヤレス通信標準規格の前記第２の受信周波数帯域のアイドルタイムスロットにおいて、前記第２のフィルタモジュールに接続するように制御するようにさらに構成される、ことを特徴とするマルチモードワイヤレス端末。
【請求項２】
前記第１のトランシーバモジュールは、前記第２のベースバンドモジュールに接続し、
前記第１のトランシーバモジュールは、第２の制御ユニットを備え、前記第２の制御ユニットは、前記第１のアンテナモジュールおよび前記第１のトランシーバモジュールを、前記第１のワイヤレス通信標準規格のアイドルタイムスロットにおいて、前記第２のワイヤレス通信標準規格のダイバーシティ受信経路として働くように制御するように構成される、ことを特徴とする請求項１に記載のマルチモードワイヤレス端末。
【請求項３】
前記第１のワイヤレス通信標準規格の前記経路は、第１のフィルタモジュールをさらに備え、
前記第１のフィルタモジュールの通過帯域は、前記第２のワイヤレス通信標準規格の受信周波数帯域内、および前記第１のワイヤレス通信標準規格の受信周波数帯域内に位置付けられ、
前記第１のベースバンドモジュールは、前記第１のトランシーバモジュールに、前記第１のフィルタモジュールを通じて接続し、前記第２のベースバンドモジュールは、前記第１のトランシーバモジュールに、前記第１のフィルタモジュールを通じて接続する、ことを特徴とする請求項２に記載のマルチモードワイヤレス端末。
【請求項４】
前記第１のワイヤレス通信標準規格は、符号分割多元接続ＣＤＭＡであり、前記第２のワイヤレス通信標準規格は、グローバルシステムフォーモバイルコミュニケーションズＧＳＭである、ことを特徴とする請求項１乃至３のいずれか一項に記載のマルチモードワイヤレス端末。
【発明の詳細な説明】
【技術分野】
【０００１】
本発明の実施形態は、ワイヤレス通信技術の分野に関し、詳細には、マルチモードワイヤレス端末に関する。
【背景技術】
【０００２】
ワイヤレス通信技術の発展に伴い、モバイル電話などのワイヤレス端末は多くの場合、複数のワイヤレス通信標準規格、例えばグローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ：登録商標）、符号分割多元接続（Ｃｏｄｅ  Ｄｉｖｉｓｉｏｎ  Ｍｕｌｔｉｐｌｅ  Ａｃｃｅｓｓ、ＣＤＭＡ）、およびワイヤレスフィデリティ（Ｗｉｒｅｌｅｓｓ  Ｆｉｄｅｌｉｔｙ、ＷｉＦｉ）をサポートしている。特に、一部のデュアルカードデュアルスタンバイ（dual card dual standby）モバイル電話は一般に、ＧＳＭとＣＤＭＡ、またはＧＳＭと広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ：登録商標）を同時にサポートし、多くの消費者からの幅広い人気を得ている。
【０００３】
複数の標準規格をサポートするワイヤレス端末の場合、各標準規格は、個々のアンテナを使用してデータを受信し、送信する。しかし、データサービスおよび通話サービスが１つのワイヤレス通信標準規格内に共存する場合があり、データサービスおよび通話サービスが同じ経路資源を占有する場合があるので、ワイヤレス端末の通話サービスの通話接続率を確保すべく、通話サービスをモニタするために通話サービス用に経路資源が予約される必要があるが、そのことがデータサービス率を犠牲にする。
【発明の概要】
【課題を解決するための手段】
【０００４】
本発明の実施形態は、受信性能を改善するマルチモードワイヤレス端末を提供する。
【０００５】
第１の態様によれば、第１のワイヤレス通信標準規格の経路、および第２のワイヤレス通信標準規格の経路を含み、第１のワイヤレス通信標準規格は、第２のワイヤレス通信標準規格とは異なる、マルチモードワイヤレス端末であって、
第１のワイヤレス通信標準規格の経路は、第１のアンテナモジュール、第１のトランシーバモジュール、および第１のベースバンドモジュールを含み、第１のアンテナモジュールは、第１のトランシーバモジュールに接続し、第１のトランシーバモジュールは、第１のベースバンドモジュールに接続し、
第２のワイヤレス通信標準規格の経路は、第２のアンテナモジュール、第２のトランシーバモジュール、および第２のベースバンドモジュールを含み、第２のアンテナモジュールは、第２のトランシーバモジュールに接続し、第２のトランシーバモジュールは、第２のベースバンドモジュールに接続し、
第２のトランシーバモジュールは、第１のベースバンドモジュールに接続し、
第２のトランシーバモジュールは、制御ユニットを含み、制御ユニットは、第２のアンテナモジュールおよび第２のトランシーバモジュールを、第２のワイヤレス通信標準規格のアイドルタイムスロットにおいて、第１のワイヤレス通信標準規格のダイバーシティ受信経路として働くように制御するように構成される、マルチモードワイヤレス端末が提供される。
【０００６】
第１の態様の第１の可能な実装様式では、第２のワイヤレス通信標準規格の経路は、第２のフィルタモジュールをさらに含み、
第２のフィルタモジュールの通過帯域は、第１のワイヤレス通信標準規格の受信周波数帯域内に位置付けられ、かつ第２のフィルタモジュールの通過帯域は、第２のワイヤレス通信標準規格の受信周波数帯域内に位置付けられ、
第２のベースバンドモジュールは、第２のトランシーバモジュールに、第２のフィルタモジュールを通じて接続し、第１のベースバンドモジュールは、第２のトランシーバモジュールに、第２のフィルタモジュールを通じて接続する。
【０００７】
第１の態様の第１の可能な実装様式を参照して、第２の可能な実装様式では、第２のワイヤレス通信標準規格は、第１の受信周波数帯域、および第２の受信周波数帯域を含み、第２のフィルタモジュールの通過帯域は、第１のワイヤレス通信標準規格の受信周波数帯域内に位置付けられ、かつ第２のフィルタモジュールの通過帯域は、第２のワイヤレス通信標準規格の第１の受信周波数帯域内に位置付けられ、
第２のワイヤレス通信標準規格の経路は、第３のフィルタモジュールをさらに含み、
第３のフィルタモジュールの通過帯域は、第２のワイヤレス通信標準規格の第２の受信周波数帯域内に位置付けられ、第３のフィルタモジュールは、第２のベースバンドモジュールと第２のトランシーバモジュールとの間に位置付けられ、
制御ユニットは、マルチモードワイヤレス端末が第２のワイヤレス通信標準規格の第１の受信周波数帯域内で動作するとき、第２のトランシーバモジュールを、第２のフィルタモジュールに接続するように制御し、マルチモードワイヤレス端末が第２のワイヤレス通信標準規格の第２の受信周波数帯域内で動作するとき、第２のトランシーバモジュールを、第３のフィルタモジュールに接続するように制御するようにさらに構成される。
【０００８】
第１の態様の第２の可能な実装様式を参照して、第３の可能な実装様式では、制御ユニットは、マルチモードワイヤレス端末が第２のワイヤレス通信標準規格の第２の受信周波数帯域内で動作するとき、第２のトランシーバモジュールを、第２のワイヤレス通信標準規格の第１の受信周波数帯域のアイドルタイムスロット、および第２のワイヤレス通信標準規格の第２の受信周波数帯域のアイドルタイムスロットにおいて、第２のフィルタモジュールに接続するように制御するようにさらに構成される。
【０００９】
第１の態様、または第１の態様の第１の可能な実装様式から第３の可能な実装様式のいずれか１つを参照して、第４の可能な実装様式では、第１のトランシーバモジュールは、第２のベースバンドモジュールに接続し、
第１のトランシーバモジュールは、第２の制御ユニットを含み、第２の制御ユニットは、第１のアンテナモジュールおよび第１のトランシーバモジュールを、第１のワイヤレス通信標準規格のアイドルタイムスロットにおいて、第２のワイヤレス通信標準規格のダイバーシティ受信経路として働くように制御するように構成される。
【００１０】
第１の態様の第４の可能な実装様式を参照して、第５の可能な実装様式では、第１のワイヤレス通信標準規格の経路は、第１のフィルタモジュールをさらに含み、
第１のフィルタモジュールの通過帯域は、第２のワイヤレス通信標準規格の受信周波数帯域内、および第１のワイヤレス通信標準規格の受信周波数帯域内に位置付けられ、
第１のベースバンドモジュールは、第１のトランシーバモジュールに、第１のフィルタモジュールを通じて接続し、第２のベースバンドモジュールは、第１のトランシーバモジュールに、第１のフィルタモジュールを通じて接続する。
【００１１】
第１の態様、または第１の態様の第１の可能な実装様式から第５の可能な実装様式のいずれか１つを参照して、第６の可能な実装様式では、第１のワイヤレス通信標準規格は、符号分割多元接続ＣＤＭＡであり、第２のワイヤレス通信標準規格は、グローバルシステムフォーモバイルコミュニケーションズＧＳＭである。
【００１２】
本発明の実施形態において提供されるマルチモードワイヤレス端末によれば、マルチモードワイヤレス端末の１つのワイヤレス通信標準規格の、アンテナモジュールおよびトランシーバモジュールが、別のワイヤレス通信標準規格のダイバーシティ受信経路として使用され、制御ユニットが、ダイバーシティ受信経路として働くトランシーバモジュール内に設定され、制御ユニットは、アンテナモジュールおよびトランシーバモジュールを、アイドルタイムスロットにおいて、別のワイヤレス通信標準規格のダイバーシティ受信経路として働くように制御するように構成され、それにより、マルチモードワイヤレス端末の１つのワイヤレス通信標準規格が、別のワイヤレス通信標準規格のアイドルタイムスロットを使用して信号を受信し得るようになり、そのことが、マルチモードワイヤレス端末の受信性能を改善する。
【図面の簡単な説明】
【００１３】
本発明の実施形態における、または従来技術における、技術的解決策についてより明確に説明するために、下記は、実施形態または従来技術について説明するために必要とされる添付の図面について簡単に説明している。明らかに、下記の説明における添付の図面は、本発明の一部の実施形態を示しているが、それでも当業者なら、創造的な努力なしで、これらの添付の図面から他の図面を導出し得よう。
【図１】本発明の実施形態によるマルチモードワイヤレス端末の実施形態１の概略構造図である。
【図２】本発明の実施形態によるマルチモードワイヤレス端末の実施形態２の概略構造図である。
【図３】本発明の実施形態によるマルチモードワイヤレス端末の実施形態３の概略構造図である。
【図４】本発明の実施形態によるマルチモードワイヤレス端末の実施形態４の概略構造図である。
【図５】本発明の実施形態によるマルチモードワイヤレス端末の実施形態５の概略構造図である。
【図６】本発明の実施形態によるマルチモードワイヤレス端末の実施形態６の概略構造図である。
【発明を実施するための形態】
【００１４】
本発明の実施形態の目的、技術的解決策、および利点をより明確にするために、下記は、本発明の実施形態における技術的解決策について、本発明の実施形態における添付の図面を参照して、明確かつ完全に説明している。明らかに、説明される実施形態は、本発明の実施形態のすべてではなく一部である。当業者によって本発明の実施形態に基づいて創造的な努力なしに得られる他のすべての実施形態は、本発明の保護範囲内に含まれるものとする。
【００１５】
従来技術におけるマルチモードワイヤレス端末、例えば、ＣＤＭＡおよびＧＳＭをサポートするデュアルカードデュアルスタンバイモバイル電話では、個々のプライマリアンテナが、ＣＤＭＡおよびＧＳＭに合わせて構成される。ＣＤＭＡとＧＳＭはどちらも、データサービスおよび通話サービスを有し、データサービスおよび通話サービスは一般に、同じ回路経路（circuit path）を使用する。ネットワーク技術の発展に伴い、ユーザは、ますます長い時間を、モバイル電話を通じてインターネットを見て回る（surfing）ことに費やし、モバイル電話上のインスタント通信ソフトウェアまたは他のアプリケーションソフトウェアも、モバイル電話に長い時間にわたってオンライン状態にあるように求める場合がある。その結果として、データサービスと通話サービスとの間に不両立が存在し、すなわち、モバイル電話がデータサービスを行っているときに、通話サービスの経路が占有され、そのことが、通話サービスの通話接続率を低下させる。例えば、ユーザがＣＤＭＡネットワークを通じてウェブページを閲覧しているとき、ＣＤＭＡ通話サービスの通話接続率は低下される。通話サービスの通話接続率を増加させるには、データサービス率が低下される必要があり、通話サービスをモニタするために一部の経路資源が予約される必要があるが、それは、データサービス率を犠牲にすることによって実施される。
【００１６】
本発明の実施形態において提供されるマルチモードワイヤレス端末は、モバイル電話やタブレットコンピュータなどの、複数のワイヤレス通信標準規格をサポートするワイヤレス端末デバイスであり得る。本発明の下記の実施形態は、２つの標準規格をサポートするモバイル電話のみを、本発明において提供されるマルチモードワイヤレス端末について説明するための例として使用しているが、本発明において提供されるマルチモードワイヤレス端末は、下記の実施形態によって限定されることはない。
【００１７】
図１は、本発明の実施形態によるマルチモードワイヤレス端末の実施形態１の概略構造図である。図１に示されるように、本実施形態におけるマルチモードワイヤレス端末は、
第１のワイヤレス通信標準規格の経路、および第２のワイヤレス通信標準規格の経路
を含み、第１のワイヤレス通信標準規格は、第２のワイヤレス通信標準規格とは異なり、第１のワイヤレス通信標準規格の経路は、第１のアンテナモジュール１０１、第１のトランシーバモジュール１０２、および第１のベースバンドモジュール１０３を含み、第１のアンテナモジュール１０１は、第１のトランシーバモジュール１０２に接続し、第１のトランシーバモジュール１０２は、第１のベースバンドモジュール１０３に接続し、第２のワイヤレス通信標準規格の経路は、第２のアンテナモジュール１０４、第２のトランシーバモジュール１０５、および第２のベースバンドモジュール１０６を含み、第２のアンテナモジュール１０４は、第２のトランシーバモジュール１０５に接続し、第２のトランシーバモジュール１０５は、第２のベースバンドモジュール１０６に接続し、第２のトランシーバモジュール１０５は、第１のベースバンドモジュール１０３に接続し、第２のトランシーバモジュール１０５は、制御ユニット１０７を含み、制御ユニット１０７は、第２のアンテナモジュール１０４および第２のトランシーバモジュール１０５を、第２のワイヤレス通信標準規格のアイドルタイムスロットにおいて、第１のワイヤレス通信標準規格のダイバーシティ受信経路として働くように制御するように構成される。
【００１８】
具体的には、本実施形態において提供されるマルチモードワイヤレス端末は、２つのワイヤレス通信標準規格をサポートし、それらはそれぞれ、第１のワイヤレス通信標準規格、および第２のワイヤレス通信標準規格であり、第１のワイヤレス通信標準規格は、第２のワイヤレス通信標準規格とは異なり、例えば、第１のワイヤレス通信標準規格はＣＤＭＡであり、第２のワイヤレス通信標準規格はＧＳＭであり、または第１のワイヤレス通信標準規格はＷＣＤＭＡであり、第２のワイヤレス通信標準規格はＧＳＭである。
【００１９】
第１のワイヤレス通信標準規格においては、第１のアンテナモジュール１０１、第１のトランシーバモジュール１０２、および第１のベースバンドモジュール１０３を含むリンクが、第１のワイヤレス通信標準規格の経路を成し、マルチモードワイヤレス端末は、この第１のワイヤレス通信標準規格の経路を使用して、第１のワイヤレス通信標準規格のデータ送信（sending）およびデータ受信（receiving）を行い得る。第１のアンテナモジュール１０１は、第１のワイヤレス通信標準規格の無線信号を受信するように構成される。第１のトランシーバモジュール１０２は、具体的には、デュプレクサ、電力増幅器、および弾性表面波（Ｓｕｒｆａｃｅ  Ａｃｏｕｓｔｉｃ  Ｗａｖｅ、ＳＡＷ）フィルタなどの構成要素を含み得る。要するに、第１のトランシーバモジュール１０２は、第１のワイヤレス通信標準規格の無線周波数信号のためのトランシーバ機能を実施するように構成される。第１のベースバンドモジュール１０３は、第１のワイヤレス通信標準規格のベースバンド信号処理を行うように構成される。第２のワイヤレス通信標準規格においては、第２のアンテナモジュール１０４、第２のトランシーバモジュール１０５、および第２のベースバンドモジュール１０６を含むリンクが、第２のワイヤレス通信標準規格の経路を成し、マルチモードワイヤレス端末は、この第２のワイヤレス通信標準規格の経路を使用して、第２のワイヤレス通信標準規格のデータ送信およびデータ受信を行い得る。第２のアンテナモジュール１０４は、第２のワイヤレス通信標準規格の無線信号を受信するように構成され、第２のトランシーバモジュール１０５は、第２のワイヤレス通信標準規格の無線周波数信号のためのトランシーバ機能を実施するように構成される。第２のベースバンドモジュール１０６は、第２のワイヤレス通信標準規格のベースバンド信号処理を行うように構成される。第１のワイヤレス通信標準規格の経路と第２のワイヤレス通信標準規格の経路は一般に、互いに独立しており、各モジュールは、それ自体のワイヤレス通信標準規格のデータ伝送および処理タスクを独立して完了する。
【００２０】
本実施形態では、第２のワイヤレス通信標準規格の経路が、第１のワイヤレス通信標準規格のダイバーシティ受信経路として働く必要があり、したがって、第２のトランシーバモジュール１０５が、第１のベースバンドモジュール１０３に接続する。第２のトランシーバモジュール１０５と第１のベースバンドモジュール１０３との間の接続ラインは、ダイバーシティ受信経路１０８と呼ばれ得、ダイバーシティ受信経路１０８は、データを受信するための信号ライン、および関連する整合ネットワークを含むが、ダイバーシティ受信経路１０８は、制御機能を有するどんな構成要素も含まず、すなわち、ダイバーシティ受信経路１０８は単に、第２のトランシーバモジュール１０５から第１のベースバンドモジュール１０３にデータを送信するように構成される。
【００２１】
第２のアンテナモジュール１０４は、第２のワイヤレス通信標準規格の無線信号を受信するように構成されるが、第２のアンテナモジュール１０４はまた、第１のワイヤレス通信標準規格の無線信号を受信することもでき、ただし、第２のアンテナモジュール１０４の動作周波数帯域は、第２のワイヤレス通信標準規格の周波数範囲内に位置付けられているので、第２のアンテナモジュール１０４が第１のワイヤレス通信標準規格の無線信号を受信するとき、利得が比較的低くなる。第２のトランシーバモジュール１０５は、第２のワイヤレス通信標準規格の無線周波数信号のためのトランシーバ機能を実施するように構成される。第２のトランシーバモジュール１０５が、第２のアンテナモジュール１０４によって送られた第１のワイヤレス通信標準規格の無線信号を受信するとき、第２のトランシーバモジュール１０５の動作周波数帯域が第１のワイヤレス通信標準規格の周波数範囲内に位置することが可能にされる限り、第２のトランシーバモジュール１０５はまた、第１のワイヤレス通信標準規格の無線周波数信号のためのトランシーバ機能も実施し得る。したがって、第２のトランシーバモジュール１０５が第１のベースバンドモジュール１０３に接続するとき、第１のベースバンドモジュールは、第１のワイヤレス通信標準規格の無線周波数信号を第２のトランシーバモジュール１０５から受信し得、その結果として、第２のアンテナモジュール１０４、第２のトランシーバモジュール１０５、および第１のベースバンドモジュール１０３が、第１のワイヤレス通信標準規格の新規経路を成し、第１のベースバンドモジュール１０３が、前述の第１のワイヤレス通信標準規格の新規経路上の信号を、第１のアンテナモジュール１０１、第１のトランシーバモジュール１０２、および第１のベースバンドモジュール１０３を含む、第１のワイヤレス通信標準規格の元の経路上の信号と組み合わせることになり、そのことが、第１のワイヤレス通信標準規格の受信能力を改善し、これは、ダイバーシティ受信と呼ばれる。
【００２２】
ダイバーシティ受信経路１０８が、第２のトランシーバモジュール１０５と第１のベースバンドモジュール１０３との間に配設された後、第１のベースバンドモジュール１０３は、第２のアンテナモジュール１０４および第２のトランシーバモジュール１０５を通じて、信号を受信することができる。本実施形態におけるマルチモードワイヤレス端末は、２つのワイヤレス通信標準規格を同時にサポートする。ダイバーシティ受信経路１０８が、第２のトランシーバモジュール１０５と第１のベースバンドモジュール１０３との間に配設されるが、第２のトランシーバモジュール１０５はさらに、第２のベースバンドモジュール１０６とのデータ伝送を行う必要もあるので、第１のベースバンドモジュール１０３は、第２のトランシーバモジュール１０５によって送信されるデータをいつでも受信できるというわけではない。したがって、第２のトランシーバモジュール１０５は、制御ユニット１０７をさらに含み、制御ユニット１０７は、第２のアンテナモジュール１０４および第２のトランシーバモジュール１０５を、第２のワイヤレス通信標準規格のアイドルタイムスロットにおいて、第１のベースバンドモジュール１０３のダイバーシティ受信経路として働くように制御するように構成される。
【００２３】
第２のワイヤレス通信標準規格は、データ送信およびデータ受信の２つの状態を有する。第２のワイヤレス通信標準規格のデータ送信時に、データは、第２のベースバンドモジュール１０６から第２のトランシーバモジュール１０５に送られ、第２のアンテナモジュール１０４から外に送信され、この場合、第２のワイヤレス通信標準規格のタイムスロットは、データを送信するために占有され、第２のトランシーバモジュール１０５は、第１のベースバンドモジュール１０３にデータを送信することができない。第２のワイヤレス通信標準規格のデータ受信時に、データは、第２のアンテナモジュール１０４から第２のトランシーバモジュール１０５に送られ、第２のトランシーバモジュール１０５によって、第２のベースバンドモジュール１０６に送られ、この場合、第２のワイヤレス通信標準規格のタイムスロットは、データを受信するために占有される。しかし、第１のワイヤレス通信標準規格は、第２のワイヤレス通信標準規格とは異なるので、それらの、周波数や変調様式などのパラメータも異なり、したがって、第２のトランシーバモジュール１０５はまた、第１のワイヤレス通信標準規格のデータを受信し、第１のワイヤレス通信標準規格のデータを、ダイバーシティ受信経路１０８を通じて第１のベースバンドモジュール１０３に送ることもできる。それに加えて、一般に、第２のワイヤレス通信標準規格においてデータはいつでも送信され、または受信されるというわけではない。スタンバイ状態では、シグナリングが一部のタイムスロットにおいてのみモニタされ、残りのタイムスロットにおいては、第２のワイヤレス通信標準規格はスリープモード（Ｓｌｅｅｐ  Ｍｏｄｅ）にある。第２のワイヤレス通信標準規格がスリープモードのタイムスロットにあるとき、第１のワイヤレス通信標準規格のデータはまた、第２のアンテナモジュール１０４および第２のトランシーバモジュール１０５を通じて受信され、ダイバーシティ受信経路１０８を通じて、第１のベースバンドモジュール１０３に送られることもできる。
【００２４】
したがって、第２のトランシーバモジュール１０５内の制御ユニット１０７が、第２のトランシーバモジュール１０５内のアンテナスイッチを制御することによって、第２のワイヤレス通信標準規格のアイドルタイムスロットにおいて、第１のワイヤレス通信標準規格のデータを受信し、第１のワイヤレス通信標準規格の受信されたデータを、ダイバーシティ受信経路１０８を通じて第１のベースバンドモジュール１０３に送ることができる。このようにして、第１のベースバンドモジュール１０３は、第２のトランシーバモジュール１０５によって送られたデータを、第２のワイヤレス通信標準規格のデータを送信するためのタイムスロットを除き、すべてのタイムスロットにおいて受信することができ、それにより、第２のワイヤレス通信標準規格の経路は、ほとんどの時間、第１のワイヤレス通信標準規格のダイバーシティ受信経路として働くことができるようになり、しかも第２のワイヤレス通信標準規格には影響を及ぼさず、そのことが、第１のワイヤレス通信標準規格の受信性能を改善する。一般に、現在のワイヤレス通信トランシーバモジュールは、プログラマブルチップを備えており、したがって、第２のトランシーバモジュール１０５内の制御ユニット１０７は、ソフトウェア様式で実装され得る。このようにして、ユーザが本実施形態において提供されるマルチモードワイヤレス端末の第１のワイヤレス通信標準規格を使用することによってデータサービスを行うものと仮定すると、第２のワイヤレス通信標準規格の経路が、ほとんどの時間、第１のワイヤレス通信標準規格のダイバーシティ受信経路として働き得るので、第１のワイヤレス通信標準規格の通話サービスは、第２のワイヤレス通信標準規格によってモニタされ得、第１のワイヤレス通信標準規格は、すべての経路資源を使用することによってデータサービスを行うことができ、そのことが、マルチモードワイヤレス端末の受信性能を改善する。
【００２５】
それに加えて、オプションで、本実施形態において提供されるマルチモードワイヤレス端末は、中央処理ユニット１０９をさらに含み得、中央処理ユニット１０９は、第１のベースバンドモジュール１０３および第２のベースバンドモジュール１０６に接続し、中央処理ユニット１０９は、第１のワイヤレス通信標準規格のデータ、および第２のワイヤレス通信標準規格のデータに対して、アプリケーション層処理を行うように構成される。中央処理ユニット１０９は一般に、比較的強力な処理能力をもつチップを使用するので、中央処理ユニット１０９は、第１のワイヤレス通信標準規格および第２のワイヤレス通信標準規格によって共用され得るが、本実施形態はそれに限定されず、スタンドアロン型中央処理ユニットが、第１のワイヤレス通信標準規格および第２のワイヤレス通信標準規格用に配設されてもよい。
【００２６】
本実施形態は、第２のワイヤレス通信標準規格の経路内の第２のアンテナモジュールおよび第２のトランシーバモジュールが、第１のワイヤレス通信標準規格のダイバーシティ受信経路として働くことについてのみ説明していることに留意されたいが、当業者なら、第１のワイヤレス通信標準規格の経路内の第１のアンテナモジュールおよび第１のトランシーバモジュールが、第２のワイヤレス通信標準規格のダイバーシティ受信経路として働いてもよいことを理解し得よう。あるいは、本実施形態と同じ構造に従って、第２のワイヤレス通信標準規格の経路、および第１のワイヤレス通信標準規格の経路が、互いのダイバーシティ受信経路として働いてもよい。その上、マルチモードワイヤレス端末が、３つ以上のワイヤレス通信標準規格を同時にサポートし、それらのワイヤレス通信標準規格の３つ以上の経路を有するとき、それらのワイヤレス通信標準規格の経路のうちの２つ以上が、１つのワイヤレス通信標準規格のダイバーシティ受信経路として同時に働いてもよい。
【００２７】
本実施形態では、マルチモードワイヤレス端末におけるワイヤレス通信標準規格の、アンテナモジュールおよびトランシーバモジュールが、別のワイヤレス通信標準規格のダイバーシティ受信経路として働き、制御ユニットが、ダイバーシティ受信用のトランシーバモジュール内に設定され、制御ユニットは、アンテナモジュールおよびトランシーバモジュールを、アイドルタイムスロットにおいて、別のワイヤレス通信標準規格のダイバーシティ受信経路として働くように制御するように構成され、それにより、マルチモードワイヤレス端末のワイヤレス通信標準規格が、別のワイヤレス通信標準規格のアイドルタイムスロット使用することによって信号を受信することができるようになり、そのことが、マルチモードワイヤレス端末の受信性能を改善する。
【００２８】
それに加えて、既存のマルチモードワイヤレス端末と比較して、本実施形態において提供されるマルチモードワイヤレス端末は、第２のトランシーバモジュール１０５を第１のベースバンドモジュール１０３に接続するダイバーシティ受信経路１０８のみが追加され、ダイバーシティ受信経路１０８は、データを受信するための信号ライン、および関連する整合ネットワークのみを含むが、制御機能を有するどんな構成要素も含まず、したがって、マルチモードワイヤレス端末のサイズは基本的に増加しない。
【００２９】
図２は、本発明の実施形態によるマルチモードワイヤレス端末の実施形態２の概略構造図である。図２に示されるように、本実施形態におけるマルチモードワイヤレス端末と、図１に示されるマルチモードワイヤレス端末との相違は、以下の点にある。
【００３０】
第２のワイヤレス通信標準規格の経路は、第２のフィルタモジュール２０１をさらに含み、第２のフィルタモジュール２０１の通過帯域は、第１のワイヤレス通信標準規格の受信周波数帯域内、および第２のワイヤレス通信標準規格の受信周波数帯域内に位置付けられ、第２のベースバンドモジュール１０６は、第２のトランシーバモジュール１０５に、第２のフィルタモジュール２０１を通じて接続し、第１のベースバンドモジュール１０３は、第２のトランシーバモジュール１０５に、第２のフィルタモジュール２０１を通じて接続する。
【００３１】
具体的には、第１のワイヤレス通信標準規格は、第２のワイヤレス通信標準規格とは異なり、また２つの異なるワイヤレス通信標準規格の周波数は一般に異なり、したがって、ワイヤレス端末において、必要とされるワイヤレス通信標準規格の信号に対して処理を行うには、受信された無線信号に対してフィルタリング処理が行われる必要がある。各ワイヤレス通信標準規格は、１または複数の固定動作周波数帯域を有しており、したがって、ワイヤレス通信標準規格の経路内に、通過帯域がその動作周波数帯域と同じであるフィルタモジュールが、別の周波数の無線信号をフィルタ除去すべく配設される必要がある。
【００３２】
本実施形態では、第２のアンテナモジュール１０４および第２のトランシーバモジュール１０５が、第１のワイヤレス通信標準規格の無線信号と第２のワイヤレス通信標準規格の無線信号をどちらも受信するので、第２のフィルタモジュール２０１が、第２のワイヤレス通信標準規格の経路内に配設され、第２のフィルタモジュール２０１は、第１のワイヤレス通信標準規格の信号を第２のワイヤレス通信標準規格の信号から分離するように構成される。第２のフィルタモジュール２０１は、少なくとも２つの通過帯域を有し得、一方の通過帯域は、第１のワイヤレス通信標準規格の受信周波数帯域内に位置付けられ、他方の通過帯域は、第２のワイヤレス通信標準規格の受信周波数帯域内に位置付けられる。第２のフィルタモジュール２０１の、第１のワイヤレス通信標準規格の受信周波数帯域内に位置付けられた通過帯域を使用することによるフィルタリングによって得られる信号が、第１のベースバンドモジュール１０３に送られ、第２のフィルタモジュール２０１の、第２のワイヤレス通信標準規格の受信周波数帯域内に位置付けられた通過帯域を使用することによるフィルタリングによって得られる信号が、第２のベースバンドモジュール１０６に送られる。このようにして、第１のベースバンドモジュール１０３と第２のベースバンドモジュール１０６はどちらも、それら自体の受信周波数帯域の信号を受信し、そのことが、別の周波数の信号からの干渉を回避する。
【００３３】
図３は、本発明の実施形態によるマルチモードワイヤレス端末の実施形態３の概略構造図である。図３に示されるように、本実施形態におけるマルチモードワイヤレス端末と、図２に示されるマルチモードワイヤレス端末との相違は、以下の点にある。
【００３４】
第２のワイヤレス通信標準規格は、第１の受信周波数帯域、および第２の受信周波数帯域を含み、第２のフィルタモジュール２０１の通過帯域は、第１のワイヤレス通信標準規格の受信周波数帯域内、および第２のワイヤレス通信標準規格の第１の受信周波数帯域内に位置付けられ、第２のワイヤレス通信標準規格の経路は、第３のフィルタモジュール３０１をさらに含み、第３のフィルタモジュール３０１の通過帯域は、第２のワイヤレス通信標準規格の第２の受信周波数帯域内に位置付けられ、第３のフィルタモジュール３０１は、第２のベースバンドモジュール１０６と第２のトランシーバモジュール１０５との間に位置付けられる。制御ユニット１０７は、マルチモードワイヤレス端末が第２のワイヤレス通信標準規格の第１の受信周波数帯域内で動作するとき、第２のトランシーバモジュール１０５を、第２のフィルタモジュール２０１に接続するように制御し、マルチモードワイヤレス端末が第２のワイヤレス通信標準規格の第２の受信周波数帯域内で動作するとき、第２のトランシーバモジュール１０５を、第３のフィルタモジュール３０１に接続するように制御するようにさらに構成される。
【００３５】
具体的には、既存のワイヤレス通信技術では、限られた周波数帯域資源のため、１つのワイヤレス通信標準規格が、異なる周波数範囲をもつ２つ以上の周波数帯域を有している場合があり、ただし、そのワイヤレス通信標準規格のアンテナモジュールおよびトランシーバモジュールは、１つの周波数範囲内で同時に動作することしかできない。本発明において提供されるマルチモードワイヤレス端末に関して言うと、１つのワイヤレス通信標準規格が、２つ以上の周波数範囲を有するワイヤレス通信標準規格の経路をダイバーシティ受信経路として使用することができるように、本実施形態において説明されるマルチモードワイヤレス端末が提案される。
【００３６】
図３に示されるように、本実施形態では、第２のワイヤレス通信標準規格は、第１の受信周波数帯域、および第２の受信周波数帯域を含み、第２のワイヤレス通信標準規格の経路は、第２のフィルタモジュール２０１と第３のフィルタモジュール３０１をどちらも有し、第２のフィルタモジュール２０１の通過帯域は、第２のワイヤレス通信標準規格の第１の受信周波数帯域内、および第１のワイヤレス通信標準規格の受信周波数帯域内に位置付けられ、第３のフィルタモジュール３０１の通過帯域は、第２のワイヤレス通信標準規格の第２の受信周波数帯域内に位置付けられる。第１のワイヤレス通信標準規格は、第２のアンテナモジュール１０４、第２のトランシーバモジュール１０５、および第２のフィルタモジュール２０１を含む経路を、ダイバーシティ受信経路として使用する。
【００３７】
第２のワイヤレス通信標準規格は、第１の受信周波数帯域、および第２の受信周波数帯域を含み、したがって、第２のワイヤレス通信標準規格は、第１の送信周波数帯域、および第２の送信周波数帯域をさらに有し、第２のワイヤレス通信標準規格は、一度にただ１つの周波数帯域内で動作することができる。データ送信状態およびデータ受信状態に関して、第２のワイヤレス通信標準規格の稼働状態は、第１の受信周波数帯域内でのデータ受信、第１の送信周波数帯域内でのデータ送信、第２の受信周波数帯域内でのデータ受信、および第２の送信周波数帯域内でのデータ送信の４つのタイプに分類される。図１に示される実施形態から、第２のワイヤレス通信標準規格においてデータが送信されるとき、第２のワイヤレス通信標準規格のタイムスロットは、データを送信するために占有される、ということを学ぶことができ、この場合、データは、どんな周波数帯域においても受信されることができず、すなわち、前述の４つの状態において、第１の送信周波数帯域内でのデータ送信および第２の送信周波数帯域内でのデータ送信時に、第１のワイヤレス通信標準規格は、第２のワイヤレス通信標準規格の経路をダイバーシティ受信経路として使用することができない。第２の受信周波数帯域内でのデータ受信時に、第２のトランシーバモジュール１０５は、第２のアンテナモジュール１０４、第２のトランシーバモジュール１０５、第３のフィルタモジュール３０１、および第２のベースバンドモジュール１０６を含む経路を選択する必要があり、したがって、この場合、第１のベースバンドモジュール１０３は依然として、第２のトランシーバモジュール１０５から送られるデータを受信することができず、すなわち、この稼働状態においては、第１のワイヤレス通信標準規格は依然として、第２のワイヤレス通信標準規格の経路をダイバーシティ受信経路として使用することができない。したがって、第１の受信周波数帯域内でのデータ受信状態においてのみ、第１のワイヤレス通信標準規格は、第１のワイヤレス通信標準規格のデータを、第２のアンテナモジュール１０４、第２のトランシーバモジュール１０５、第２のフィルタモジュール２０１、およびダイバーシティ受信経路１０８を含むダイバーシティ受信経路を通じて、受信することができる。制御ユニット１０７は、各タイムスロットにおいて、異なるレシービング様式の選択を制御するために使用され得る。
【００３８】
さらに、制御ユニット１０７は、マルチモードワイヤレス端末が第２のワイヤレス通信標準規格の第２の受信周波数帯域内で動作するとき、第２のトランシーバモジュール１０５を、第２のワイヤレス通信標準規格の第１の受信周波数帯域および第２の受信周波数帯域のアイドルタイムスロットにおいて、第２のフィルタモジュール２０１に接続するように制御するようにさらに構成される。一般に、第２のワイヤレス通信標準規格においてデータはいつでも送信され、または受信されるというわけではない。スタンバイ状態では、シグナリングが一部のタイムスロットにおいてのみモニタされ、残りのタイムスロットにおいては、第２のワイヤレス通信標準規格はスリープモード（Ｓｌｅｅｐ  Ｍｏｄｅ）にある。第２のワイヤレス通信標準規格がスリープモードのタイムスロットにあるとき、第１のワイヤレス通信標準規格のデータはまた、第２のアンテナモジュール１０４および第２のトランシーバモジュール１０５を通じて受信され、第２のフィルタモジュール２０１およびダイバーシティ受信経路１０８を通じて、第１のベースバンドモジュール１０３に送られることもできる。このことが制御ユニット１０７に、第２のトランシーバモジュール１０５を、第２のワイヤレス通信標準規格の第１の受信周波数帯域および第２の受信周波数帯域のアイドルタイムスロットにおいて、第２のフィルタモジュール２０１に接続させるように求める。
【００３９】
図４は、本発明の実施形態によるマルチモードワイヤレス端末の実施形態４の概略構造図である。図４に示されるように、本実施形態におけるマルチモードワイヤレス端末と、図３に示されるマルチモードワイヤレス端末との相違は、以下の点にある。
【００４０】
第１のトランシーバモジュール１０２は、第２のベースバンドモジュール１０６に、第２のダイバーシティ受信回路４０１を通じて接続し、第１のトランシーバモジュール１０２は、第２の制御ユニット４０２を含み、第２の制御ユニット４０２は、第１のアンテナモジュール１０１および第１のトランシーバモジュール１０２を、第１のワイヤレス通信標準規格のアイドルタイムスロットにおいて、第２のワイヤレス通信標準規格のダイバーシティ受信経路として働くように制御するように構成される。
【００４１】
具体的には、本実施形態は、第１のワイヤレス通信標準規格の経路が、第２のワイヤレス通信標準規格のダイバーシティ受信経路として働き、同時に、第２のワイヤレス通信標準規格の経路が、第１のワイヤレス通信標準規格のダイバーシティ受信経路として働く場合について説明している。第１のワイヤレス通信標準規格の経路が、第２のワイヤレス通信標準規格のダイバーシティ受信経路として働く特定の実装方法は、前述の実施形態の説明に類似している。
【００４２】
図５は、本発明の実施形態によるマルチモードワイヤレス端末の実施形態５の概略構造図である。図５に示されるように、本実施形態におけるマルチモードワイヤレス端末と、図４に示されるマルチモードワイヤレス端末との相違は、以下の点にある。
【００４３】
第１のワイヤレス通信標準規格の経路は、第１のフィルタモジュール５０１をさらに含み、第１のフィルタモジュール５０１の通過帯域は、第２のワイヤレス通信標準規格の受信周波数帯域内、および第１のワイヤレス通信標準規格の受信周波数帯域内に位置付けられ、第１のベースバンドモジュール１０３は、第１のトランシーバモジュール１０２に、第１のフィルタモジュール５０１を通じて接続し、第２のベースバンドモジュール１０６は、第１のトランシーバモジュール１０２に、第１のフィルタモジュール５０１を通じて接続する。
【００４４】
具体的には、図２に示される実施形態と類似して、第１のワイヤレス通信標準規格は、第２のワイヤレス通信標準規格とは異なり、また２つの異なるワイヤレス通信標準規格の周波数は一般に異なり、したがって、第１のフィルタモジュール５０１が、第１のワイヤレス通信標準規格の経路内に配設され、第１のフィルタモジュール５０１は、第１のワイヤレス通信標準規格の信号を第２のワイヤレス通信標準規格の信号から分離するように構成される。第１のフィルタモジュール５０１は、少なくとも２つの通過帯域を有し得、一方の通過帯域は、第１のワイヤレス通信標準規格の受信周波数帯域内に位置付けられ、他方の通過帯域は、第２のワイヤレス通信標準規格の受信周波数帯域内に位置付けられる。この点において、第２のワイヤレス通信標準規格が本実施形態では２つの受信周波数帯域を有するので、第１のフィルタモジュール５０１の通過帯域は、第２のワイヤレス通信標準規格によって使用される必要があるダイバーシティ受信経路の周波数帯域に従って設定される必要があることに留意されたい。第１のフィルタモジュール５０１の、第２のワイヤレス通信標準規格の受信周波数帯域内に位置付けられた通過帯域を使用することによるフィルタリングによって得られる信号が、第２のベースバンドモジュール１０６に送られ、第１のフィルタモジュール５０１の、第１のワイヤレス通信標準規格の受信周波数帯域内に位置付けられた通過帯域を使用することによるフィルタリングによって得られる信号が、第１のベースバンドモジュール１０３に送られる。このようにして、第１のベースバンドモジュール１０３と第２のベースバンドモジュール１０６はどちらも、それら自体の受信周波数帯域の信号を受信し、そのことが、別の周波数の信号からの干渉を回避する。
【００４５】
前述の実施形態では、マルチモードワイヤレス端末の受信経路内の一部のモジュールのみが考慮されていることに留意されたいが、当業者なら、本発明の実施形態において提供されるマルチモードワイヤレス端末が、送信経路をさらに含み、それに加えて、受信経路が、増幅やフィルタリングなどの機能を実施するモジュールまたは構成要素をさらに含み、その上、マルチモードワイヤレス端末が、さまざまな整合回路および別の機能を実施する構成要素をさらに含み、受信経路および送信経路は、シングルエンド信号または差動信号を使用し得ることを理解し得よう。
【００４６】
下記は、特定の実施形態を使用して、本発明の実施形態によるマルチモードワイヤレス端末について説明している。図６は、本発明の実施形態によるマルチモードワイヤレス端末の実施形態６の概略構造図である。図６に示されるように、本実施形態は、ＣＤＭＡおよびＧＳＭのデュアルカードデュアルスタンバイデュアルパス（dual pass）モバイル電話の概略構造図を提供し、この場合、ＧＳＭは、９００ＭＨｚと１８００／１９００ＭＨｚの２つの周波数範囲を有し、８００ＭＨｚのＣＤＭＡが、ＧＳＭ９００ＭＨｚ周波数範囲を、ダイバーシティ受信経路として使用する。
【００４７】
ＣＤＭＡアンテナ６０１、デュプレクサ６０２、ＣＤＭＡベースバンドモジュール６０３、および中央処理ユニット６０４が、ＣＤＭＡ受信経路を成し、ＣＤＭＡベースバンドモジュール６０３は、ＷＴＲ１６０５チップを使用し、中央処理ユニット６０４は、ＭＳＭ８９３０チップを使用し、ＣＤＭＡベースバンドモジュール６０３は、レシービング用に差動シグナリングを使用する。中央処理ユニット６０４、ＣＤＭＡベースバンドモジュール６０３、８５０ＭＨｚ  ＳＡＷフィルタ６０５、電力増幅器（Ｐｏｗｅｒ  Ａｍｐｌｉｆｉｅｒ、ＰＡ）６０６、デュプレクサ６０２、およびＣＤＭＡアンテナ６０１が、ＣＤＭＡ送信経路を成す。デュプレクサ６０２、８５０ＭＨｚ  ＳＡＷフィルタ６０５、および電力増幅器６０６は、まとめてＣＤＭＡトランシーバモジュールと呼ばれ得る。ＧＳＭアンテナ６０７、ＧＳＭトランシーバモジュール６０８、８５０／９００ＭＨｚ  ＳＡＷフィルタ６０９、ＧＳＭベースバンドモジュール６１０、および中央処理ユニット６０４が、ＧＳＭ９００ＭＨｚ受信経路を成し、ＧＳＭアンテナ６０７、ＧＳＭトランシーバモジュール６０８、１８００／１９００ＭＨｚ  ＳＡＷフィルタ６１１、ＧＳＭベースバンドモジュール６１０、および中央処理ユニット６０４が、ＧＳＭ１８００／１９００ＭＨｚ受信経路を成し、中央処理ユニット６０４、ＧＳＭベースバンドモジュール６１０、ＧＳＭトランシーバモジュール６０８、およびＧＳＭアンテナ６０７が、ＧＳＭ送信経路を成す。ＧＳＭトランシーバモジュール６０８は、ＴＱＭ６Ｍ４０６８チップを使用し、ＧＳＭベースバンドモジュール６１０は、ＭＴＫ６２５２Ｄチップを使用する。８５０／９００ＭＨｚ  ＳＡＷフィルタ６０９は、ＣＤＭＡベースバンドモジュール６０３に、ダイバーシティ受信回路６１２を通じて接続する。ＧＳＭベースバンドモジュール６１０は、レシービング用に差動シグナリングを使用する。ＧＳＭトランシーバモジュール６０８は、５つの稼働状態を有し、それらはＧＳＭ９００ＭＨｚセンディング、ＧＳＭ１８００／１９００ＭＨｚセンディング、ＧＳＭ９００ＭＨｚレシービング、ＧＳＭ１８００／１９００ＭＨｚレシービング、およびスリープモードである。５つの稼働状態を制御し、さらにＧＳＭアンテナ６０７が対応するフィルタまたはベースバンドモジュールに接続するように選択すべく、３つの制御レベルがＧＳＭトランシーバモジュール６０８内に設定される。例えば、３つの制御レベル、すなわちＴＸＥＮ、ＶＢＳ１、およびＶＢＳ２が、ＧＳＭトランシーバモジュール６０８内に設定され、５つの稼働状態は、表１に示されるように制御され得る。
【００４８】
【表１】
0006363722.tif 000002
【００４９】
ＧＳＭトランシーバモジュール６０８の稼働状態が、ＧＳＭ９００ＭＨｚレシービングおよびスリープモードであるとき、ＧＳＭトランシーバモジュール６０８は、ＣＤＭＡベースバンドモジュール６０３に、ダイバーシティ受信回路６１２を通じて接続し、それにより、ＣＤＭＡダイバーシティ受信を実施する。ＧＳＭ通話状態においては、ＧＳＭが時分割二重（Ｔｉｍｅ  Ｄｉｖｉｓｉｏｎ  Ｄｕｐｌｅｘｉｎｇ、ＴＤＤ）モードにあるので、ＧＳＭ送信は各フレームの８つのタイムスロットの中でただ１つのタイムスロットを占有し、ＧＳＭ１８００／１９００ＭＨｚレシービングが使用されるときも同様に、ただ１つのタイムスロットが占有され、したがって、スリープモードおよびＧＳＭ９００ＭＨｚレシービングの残りの６つのタイムスロットにおいて、ＣＤＭＡはダイバーシティ受信を実施することができ、それにより、ＣＤＭＡ経路の受信性能を大いに改善する。
【００５０】
本発明の前述の実施形態は、２つのワイヤレス通信標準規格、すなわちＧＳＭおよびＣＤＭＡ、のみを説明のための例として使用しているが、本発明において提供されるマルチモードワイヤレス端末はそれに限定されない。少なくとも２つのワイヤレス通信標準規格をサポートする任意のマルチモードワイヤレス端末、例えば、同時音声およびロングタームエボリューション（Ｌｏｎｇ  Ｔｅｒｍ  Ｅｖｏｌｕｔｉｏｎ、ＬＴＥ）（Ｓｉｍｕｌｔａｎｅｏｕｓ  Ｖｏｉｃｅ  ａｎｄ  ＬＴＥ、ＳＶＬＴＥ）、ならびに同時ＧＳＭおよびＬＴＥ（Ｓｉｍｕｌｔａｎｅｏｕｓ  ＧＳＭ  ａｎｄ  ＬＴＥ、ＳＧＬＴＥ）が、本発明の保護範囲内に含まれるものとする。
【００５１】
当業者なら、方法実施形態のステップのすべてまたは一部が、関連のあるハードウェアに命令するプログラムによって実施され得ることを理解し得よう。プログラムは、コンピュータ可読記憶媒体内に記憶され得る。プログラムが実行すると、方法実施形態のステップが行われる。前述の記憶媒体は、ＲＡＭ、ＲＯＭ、磁気ディスク、または光ディスクなど、プログラムコードを記憶することのできる任意の媒体を含む。
【００５２】
最後に、前述の実施形態は、本発明を限定するためのものではなく、本発明の技術的解決策について説明することを意図するにすぎないことに留意されたい。本発明については、前述の実施形態を参照して詳細に説明されたが、当業者なら、本発明の実施形態の技術的解決策の範囲から逸脱することなく、なお依然として前述の実施形態において説明された技術的解決策に修正を加え、またはその一部またはすべての技術的特徴に対して等価な置換を行い得ることを理解されたい。
【図１】
0006363722.tif 000003
【図２】
0006363722.tif 000004
【図３】
0006363722.tif 000005
【図４】
0006363722.tif 000006
【図５】
0006363722.tif 000007
【図６】
0006363722.tif 000008